(57)【要約】      （修正有）【課題】包装おにぎり等を食す際にその包装を確実に開くことができるとともに、包装を開く際のゴミの発生が少なくできる食品包装体を提供する。【解決手段】全体がシートよりなり、即時食することを可能とする食品を包装する食品包装体１において、包装を切り開くための切り込み線４が設けられ、切り込み線４の内面に沿ってカバー片６が配置され、切り込み線４の近傍の外面に切り開きのための持ち片８が設けられている。【選択図】図３
0003207380.tif 000002
【実用新案登録請求の範囲】
【請求項１】
即時食することを可能とする食品を包装する食品包装体において、
包装を切り開くための切り込み線が設けられてなることを特徴とする食品包装体。
【請求項２】
前記切り込み線の内面に沿ってカバー片が配置されていることを特徴とする請求項１記載の食品包装体。
【請求項３】
前記切り込み線の近傍の外面に、切り開きのための持ち片が設けられていることを特徴とする請求項１記載の食品包装体。
【考案の詳細な説明】
【技術分野】
【０００１】  この考案は、おにぎりやサンドウィッチ等の食品を包装する食品包装体に関する。
【技術背景】
【０００２】  コンビニエンスストア等で販売される包装おにぎりは、例えば、ガイド片を引っ張ることでそれに連続する帯状片を取り除いて包装シートを開くようになっている。この開き構造の場合、開き方向が一定とならなかったり十分に開けなかったりして、おにぎりを取り出しにくい場合があった。また、帯状片がゴミとなって残りその処理が必要となるとともに、包装シートを途中部分まで開いておにぎりを食する場合には帯状片が邪魔になり、見栄えも悪かった。
【考案の概要】
【考案が解決しようとする課題】
【０００３】  この考案は上記の点に鑑みて行ったもので、包装おにぎり等を食す際にその包装を確実に開くことができるとともに、包装を開く際のゴミの発生が少なくできるようにすることを目的とする。【０００４】  この考案では、即時食することを可能とする食品を包装する食品包装体において、包装を切り開くための切り込み線が設けられてなることを特徴とする食品包装体を提供する。【０００５】  上記構成によれば、食品包装体は切り込み線に沿って常に所定の位置において開くことができ、食品を取り出すこと、食することが容易に行われる。さらに、従来のような帯状片のゴミが発生することがない。【０００６】  食品包装体は食品を包装する機能を果たせば、袋状、シート状等適宜であってよく、その材質もプラスチック、紙、アルミ箔等適宜であってよい。【０００７】    切り込み線の内面に沿ってカバー片が配置される構成とすることで、切り込み線がカバー片で内側から覆われるので、外部からの埃等が切り込み線の切り込み穴を通して内部に侵入することが防がれる。【０００８】  切り込み線の近傍の外面に切り開きのための持ち片が設けられることで、持ち片を持って包装の切り開きを容易に行える。
【考案の効果】
【０００９】  この考案によれば、包装おにぎり等を食す際にその包装を確実に開くことができるとともに、包装を開く際のゴミの発生が少なくできるようになる。
【図面の簡単な説明】
【００１０】
【図１】この考案の食品包装体である袋体の実施形態の平面図
【図２】この考案の食品包装体である袋体を使用するおにぎりの収納体の外観斜視図
【図３】この考案の食品包装体である袋体を使用するおにぎりの収納体の包装開き説明図
【図４】この考案の食品包装体の異なる実施形態である包装シートの平面図
【図５】この考案の食品包装体のさらに異なる実施形態である包装シートを使用するサンドウィッチの収納体の外観斜視図
【考案を実施するための形態】
【００１１】  図１はこの考案の食品包装体である袋体の実施形態の外観斜視図である。
【００１２】  袋体１は全体が透明のプラスチックシートよりなり上端側を収納用開口２とし、袋体１の前面部３には、横方向における中央位置に上部から下部に至るようにミシン目よりなる切り込み線４が設けられている。前面部３の内面の切り込み線４に沿う位置には帯状のカバー片６が密着状態に設けられ、カバー片６はその一方の縁部７が前面部３の内面に固着されて取り付けられている。前面部３の外面の切り込み線４の一方の側位置近傍には、切り開きのためのガイド片（持ち片）８が起立可能に設けられている。ガイド片８はその基縁９が前面部３の外面のカバー片６の縁部７が固着された側に固着されて取り付けられている。また、前面部３の外面には、おにぎりの収納位置を示すガイドライン１０が印刷形成されている。
【００１３】  図２は上記袋体１を使用するおにぎりの収納体１３を示す。おにぎり１００は収納用開口２から袋体１内に差し入れられてガイドライン１０に沿った位置に納められ、前面部３がおにぎり１００の前面に当接される状態においてその他の部分がおにぎり１００を包むように後方に折り畳まれ、その畳まれた部分が外れることのないように後面でシールやテープにより固定されて収納体１３が形成される。この状態においては、切り込み線４を内側から覆うように帯状のカバー片６が前面部３の内面に密着して位置することで、外部からの埃等が切り込み線４の切り込み穴を通して内部に侵入することはない。
【００１４】  図３に示すように、一方の手１５ａで収納体１３の一方側を持つ状態において、他方の手１５ｂで他方側の起立させたガイド片８を矢印で示す方向に引っ張ることで、袋体１は切り込み線４に沿って切り開かれる。これによりおにぎり１００の半分が袋体１の一方の片側部分から突出露呈する状態となって食される。その際、他方の手１５ｂによって開かれる袋体１の他方の片側部分と一体にカバー片６も開かれるので、カバー片６が邪魔となることなくおにぎり１００を食することができる。切り込み線４が前面部３のみに設けられていることで袋体１は切り離されず、食後に袋体１のゴミが２つとなることがなく、また、従来のような帯状片のゴミが発生することもない。
【００１５】  図４はこの考案の食品包装体である包装シート２０の実施形態の平面図である。包装シート２０は方形の透明のプラスチックシートよりなる。包装シート２０はミシン目よりなる切り込み線２４が中央に縦方向に設けられている。包装シート２０には、上記実施形態のものと同様に、裏面の切り込み線２４に沿う位置に帯状のカバー片２６が取り付けられ、包装シート２０の表面の切り込み線２４の一方の側位置近傍にはガイド片２８が同様に取り付けられ、さらに、包装シート２０の表面にはおにぎりの収納位置を示すガイドライン３９が印刷形成されている。おにぎりは包装シート２０の裏面側のガイドライン３９に沿う位置に配置された状態において包み込まれて包装され、その包装された状態において上記図２に示す収納体１３と同様の形態となり、切り込み線２４位置で切り開かれておにぎりが食される。この実施形態においても上記実施形態とものと同様の作用効果が発揮される。
【００１６】  図５は包装シート３０を使用するサンドイッチ３２の収納体４０を示す。包装シート３０には切り込み線３４が設けられるとともに、上記包装シート２０と同様にカバー片３６、持ち片３８が設けられている。切り込み線２４で開かれて包装シート３０の上半部が取り外されることで、サンドウィッチ３２の上側が露出状態となって取り出され食される。
【符号の説明】
【００１７】  １    袋体（食品包装体）
４    切り込み線
６    カバー片
８    ガイド片（持ち片）
【図１】
0003207380.tif 000003
【図２】
0003207380.tif 000004
【図３】
0003207380.tif 000005
【図４】
0003207380.tif 000006
【図５】
0003207380.tif 000007